(57)【要約】【課題】モータ及びモータドライバを冷却する特別な機構を追加することなく、画像形成のスループットを最大限確保し、ステッピングモータ及びモータドライバの昇温を適正範囲内に収める。【解決手段】ステッピングモータ９５が駆動された時間と、励磁停止された時間と、非通電時間とを取得する機能を有し、それらの関係から、ステッピングモータ９５及び、ステッピングモータドライバ９３の温度を算出する機能を用いて、ステッピングモータ９５及び、ステッピングモータドライバ９３の温度を算出し、ステッピングモータ９５への励磁電流を保持する所定時間は、温度の算出結果から、ステッピングモータ９５及び、ステッピングモータドライバ９３の温度が動作保証された範囲として決定される。【選択図】図３
2007209074.tif 000002
【特許請求の範囲】
【請求項１】
駆動源の少なくとも一つにステッピングモータと、前記ステッピングモータの励磁電流を複数段階に切換える励磁電流切換手段と、画像形成の動作に伴って、前記ステッピングモータを一次的に停止する際には、次回の起動に備えて前記ステッピングモータへの励磁電流を予め定められた時間の範囲で保持し、次回の起動時に短時間で起動する手段とを有する画像形成装置において、
前記ステッピングモータが駆動された第１の時間と、励磁停止された第２の時間と、非通電の第３の時間とを取得する時間取得手段と、
前記第１の時間及び前記第２の時間並びに前記第３の時間の関係から、前記ステッピングモータの温度及びステッピングモータ制御ドライバの温度を算出する算出手段と
前記ステッピングモータへの励磁電流を保持する予め定められた時間を、算出された前記ステッピングモータの温度及び前記ステッピングモータ制御ドライバの温度から、前記ステッピングモータ及び前記ステッピングモータ制御ドライバの温度が動作保証された範囲として決定する決定手段と
を備えたことを特徴とする画像形成装置。
【請求項２】
前記画像形成装置の雰囲気温度を取得する温度取得手段をさらに備え、
前記算出手段は、前記第１の時間及び前記第２の時間並びに前記第３の時間と、前記雰囲気温度との関係から、前記ステッピングモータ及び前記ステッピングモータ制御ドライバの温度を算出する
ことを特徴とする請求項１に記載の画像形成装置。
【請求項３】
過去に画像形成を行った際の前記ステッピングモータの駆動情報を取得し、当該取得した駆動情報を蓄積する蓄積手段と、
蓄積された前記駆動情報と、算出された前記ステッピングモータの温度及び前記ステッピングモータ制御ドライバの温度との関係を用いて、前記ステッピングモータへの励磁電流を保持する予め定められた時間を変更する変更手段と
をさらに備えたことを特徴とする請求項１又は２に記載の画像形成装置。
【請求項４】
駆動源の少なくとも一つにステッピングモータと、前記ステッピングモータの励磁電流を複数段階に切換える励磁電流切換手段と、画像形成の動作に伴って、前記ステッピングモータを一次的に停止する際には、次回の起動に備えて前記ステッピングモータへの励磁電流を予め定められた時間の範囲で保持し、次回の起動時に短時間で起動する手段とを有する画像形成装置の制御方法において、
時間取得手段が、前記ステッピングモータが駆動された第１の時間と、励磁停止された第２の時間と、非通電の第３の時間とを取得し、
前記第１の時間及び前記第２の時間並びに前記第３の時間の関係から、算出手段が、前記ステッピングモータの温度及びステッピングモータ制御ドライバの温度を算出し、
決定手段が、前記ステッピングモータへの励磁電流を保持する予め定められた時間を、算出された前記ステッピングモータの温度及び前記ステッピングモータ制御ドライバの温度から、前記ステッピングモータ及び前記ステッピングモータ制御ドライバの温度が動作保証された範囲として決定する
ことを特徴とする画像形成装置の制御方法。
【請求項５】
温度取得手段が、前記画像形成装置の雰囲気温度を取得し、
前記第１の時間及び前記第２の時間並びに前記第３の時間と、前記雰囲気温度との関係から、前記算出手段が、前記ステッピングモータ及び前記ステッピングモータ制御ドライバの温度を算出する
ことを特徴とする請求項４に記載の画像形成装置の制御方法。
【請求項６】
蓄積手段が、過去に画像形成を行った際の前記ステッピングモータの駆動情報を取得し、当該取得した駆動情報を蓄積し、
蓄積された前記駆動情報と、算出された前記ステッピングモータの温度及び前記ステッピングモータ制御ドライバの温度との関係を用いて、変更手段が、前記ステッピングモータへの励磁電流を保持する予め定められた時間を変更する
ことを特徴とする請求項４又は５に記載の画像形成装置の制御方法。
【発明の詳細な説明】
【技術分野】
【０００１】
本発明は、画像形成装置及びその制御方法に関し、より詳細には、ステッピングモータを用いた静電記録方式や電子写真記録方式の複写機、プリンタなどの画像形成装置の制御装置及び制御方法に関する。
【背景技術】
【０００２】
電子写真方式の画像形成装置においては、記録紙など転写材の搬送の駆動源にステッピングモータを用いて記録紙の搬送動作を正確に制御し、転写材搬送の安定性を向上させる構成が一般的になってきている。
【０００３】
このような構成においては、ステッピングモータを起動する際に、ステッピングモータを回転駆動する制御に先駆けて、ステッピングモータを停止した状態で励磁し、安定した駆動が可能となるような初期化動作を行うことが一般的になってきている。
【０００４】
このような構成においては、図１５に示すように、画像形成装置の動作中に停止させたステッピングモータの連続停止時間が所定の値より長くなる場合にはそのステッピングモータへの励磁を切る。そして、再びそのステッピングモータを動作させる際に再度励磁を実行し、初期化動作を行うように制御している。
【０００５】
いくつかの文献に上述のような従来の技術に関連した技術内容が開示されている（例えば、特許文献１、２参照）。
【０００６】
【特許文献１】特開２００５−１０２３９３号公報
【特許文献２】特開２００５−３５０２４５号公報
【発明の開示】
【発明が解決しようとする課題】
【０００７】
しかしながら、上記のようにステッピングモータを励磁したまま停止する、“最大時間を固定”とする制御を単純に適応した場合には、モータもしくはモータドライバの昇温が問題となる可能性が高い。それを避けるために、平均的な実使用条件以上の最悪条件を考慮した励磁時間の設定が必要となっている。
【０００８】
そのために、最悪条件の見積もりを行う必要が発生し、開発工数の増加と、モータもしくはモータドライバの昇温マージンを確保するために画像形成のパフォーマンスが低下してしまう状況が発生していている。その状況を避けるためには、別途モータ及びモータドライバを冷却する機構を持たせる等のコストアップを許容した対策を選択せざるを得ない状況となっている。
【０００９】
本発明は、このような課題に鑑みてなされたもので、その目的とするところは、簡易な構成で、画像形成のスループットを最大限確保し、ステッピングモータ及びモータドライバの昇温を適正範囲内に収める画像形成装置及びその制御方法を提供することにある。
【課題を解決するための手段】
【００１０】
このような目的を達成するために、本発明の画像形成装置は、駆動源の少なくとも一つにステッピングモータと、前記ステッピングモータの励磁電流を複数段階に切換える励磁電流切換手段と、画像形成の動作に伴って、前記ステッピングモータを一次的に停止する際には、次回の起動に備えて前記ステッピングモータへの励磁電流を予め定められた時間の範囲で保持し、次回の起動時に短時間で起動する手段とを有する画像形成装置であって、前記ステッピングモータが駆動された第１の時間と、励磁停止された第２の時間と、非通電の第３の時間とを取得する時間取得手段と、前記第１の時間及び前記第２の時間並びに前記第３の時間の関係から、前記ステッピングモータの温度及びステッピングモータ制御ドライバの温度を算出する算出手段と前記ステッピングモータへの励磁電流を保持する予め定められた時間を、算出された前記ステッピングモータの温度及びス前記テッピングモータ制御ドライバの温度から、前記ステッピングモータ及び前記ステッピングモータ制御ドライバの温度が動作保証された範囲として決定する決定手段とを備えたことを特徴とする。
【００１１】
また上記目的を達成するために、本発明の画像形成装置の制御方法は、駆動源の少なくとも一つにステッピングモータと、前記ステッピングモータの励磁電流を複数段階に切換える励磁電流切換手段と、画像形成の動作に伴って、前記ステッピングモータを一次的に停止する際には、次回の起動に備えて前記ステッピングモータへの励磁電流を予め定められた時間の範囲で保持し、次回の起動時に短時間で起動する手段とを有する画像形成装置の制御方法であって、時間取得手段が、前記ステッピングモータが駆動された第１の時間と、励磁停止された第２の時間と、非通電の第３の時間とを取得し、前記第１の時間及び前記第２の時間並びに前記第３の時間の関係から、算出手段が、前記ステッピングモータの温度及びステッピングモータ制御ドライバの温度を算出し、決定手段が、前記ステッピングモータへの励磁電流を保持する予め定められた時間を、算出された前記ステッピングモータの温度及び前記ステッピングモータ制御ドライバの温度から、前記ステッピングモータ及び前記ステッピングモータ制御ドライバの温度が動作保証された範囲として決定することを特徴とする。
【００１２】
以上の構成により、プリンタの使用履歴、プリンタの使用されている環境を考慮して、ステッピングモータの昇温による不具合を抑え、安価に、かつ最適なパフォーマンスを保持してステッピングモータの駆動制御をすることが可能となる。
【発明の効果】
【００１３】
本発明によれば、モータ及びモータドライバを冷却する特別な機構を追加することなく、画像形成のスループットを最大限確保し、ステッピングモータ及びモータドライバの昇温を適正範囲内に収めることができる効果を奏する。
【発明を実施するための最良の形態】
【００１４】
以下、図面を参照して本発明を適用できる実施形態を詳細に説明する。尚、本明細書で参照される各図面において同様の機能を有する箇所には同一の符号を付している。
【００１５】
（実施形態１）  
［画像形成装置の全体の説明］  
図１は本実施形態のモータ励磁制御手段を持つ画像形成装置であるカラーレーザプリンタ１００の断面図である。
【００１６】
カラーレーザプリンタエンジンは図１に示すように、Y,M,C,Bk各色毎に一定速度で回転する像担持体１ａ〜１ｄとカラー現像器４ａ〜４ｄをもつ画像形成部を有する。また、プリンタエンジンは画像形成部で現像されたトナー像を順次転写材Sに多重転写するため給送部から給送された転写材Sを画像形成部へ順次搬送するための搬送ベルト１１を有する。トナー画像を転写された転写材Sは定着部２０へ搬送されカラー画像が転写材Sに定着され、排出ローラによって装置上面の排出部２４へ排出される。、尚上記４色のカラー現像器を含むプロセスカートリッジ７ａ〜７ｄはプリンタエンジンに対して個別に着脱可能に構成されている。
【００１７】
また、本実施形態のプリンタの構成を図２を用いて説明する。プリンタ１００はプリンタコントローラ２０２とプリンタエンジン２０３から構成されていており、プリンタコントローラ２０２は外部機器であるホストコンピュータ２０４から所定の言語による画像情報を受信し、画像展開を行う。図中に記載の反転TOP信号/TOPは垂直同期信号であり、印字転写材の先端で立ち下がる信号である。また反転LSYNC信号/LSYNC１〜/LSYNC４は水平同期信号と同じ周期の信号であり、High区間で１ライン分の画像データを転送することをコントローラ２０２に要求する信号である。
【００１８】
印字動作時、上記コントローラ２０２は、プリンタエンジン２０３へ給紙開始コマンドを送信し、プリンタエンジン２０３は、給紙開始コマンドを受信した後の、給紙準備が出来たタイミングで、転写材の搬送を開始する。
【００１９】
コントローラ２０２は、プリンタとしてのパフォーマンスを向上するために、ホストコンピュータ２０４から画像情報を受信し、画像展開を実行する処理に平行して、プリンタエンジン２０３に対して、給紙開始コマンドを送信する。その後コントローラ２０２は、画像展開が終了し、画像データが送信可能となった時点で、プリンタエンジン２０３に対して、印字コマンドを送信する。
【００２０】
プリンタエンジン２０３のエンジン制御部２０６は、コントローラ２０２から印字コマンドを受信した後に、TOP信号を出力する。コントローラ２０２は、TOP信号を検出した後、LSYNC信号の期間に画像データVDO１〜VDO４（０..７）を規定ライン分プリンタエンジン２０３のレーザ駆動回路２０５に送出し、レーザを駆動して電子写真プロセスで印字する。
【００２１】
次に本実施形態に関係する部分を順次詳細に説明する。
【００２２】
［レジストローラ部］  
図１のレジストローラ部１９は、図３に示すように、レジストローラ９７と、レジストローラと回転中心を同じくしたレジストセンサフラグ９８と、レジストセンサフラグにより遮光/透過されることで、転写材先端を検知するフォトインタラプタ９９を有する。またレジストローラ部１９は、転写材一時停止位置９６と、レジストローラを駆動するステッピングモータ９５と、ステッピングモータ９５の駆動をレジストローラに伝達するギア列９４を有する。図４に、転写材先端部がレジストセンサフラグに到達したタイミングを図示する。なお、以降では、上記フォトインタラプタ９９をレジストセンサと記述する。
【００２３】
［中間搬送ベルト］  
図１中の中間搬送ベルト１１はカラー画像形成動作時には各現像器４ａ〜４ｄにより可視化された像担持体１ａ〜１ｄ上のトナー画像を転写材S上に多重転写するため像担持体１の外周速度と同期して図示時計回りに回転する。給紙部から搬送された転写材Sは中間搬送ベルト１１上に静電的に保持され順次各転写部に搬送される。像担持体１ａ〜１ｄ上に形成されたトナー画像は像担持体１ａ〜１ｄに中間搬送ベルト１１を挟んで対向位置に配置され、電圧を印加された転写ローラ１２ａ〜１２ｄとの接点である転写部で中間搬送ベルト１１上の転写材S上に多重転写される。
【００２４】
中間搬送ベルト１１は本体に駆動ローラ１３を支点とし４軸(１３,１４a,１４b,１５)で支持される。駆動ローラ１３の図示後方の一方端に図示しない駆動モータの駆動力を伝達することにより、中間搬送ベルト１１は画像形成動作に応じて図示時計回りに回転する。
【００２５】
［画像形成動作］  
次に上記のように構成された装置によって画像形成を行う場合の動作について説明する。
【００２６】
プリンタ１００は、先ず図１に示す給紙ローラ１８を回転して給紙カセット１７内の転写材Sを一枚分離し、レジストローラ部１９へと搬送する。
【００２７】
一方像担持体１ａ〜１ｄと中間搬送ベルト１１とが各々所定の外周速度Ｖ （以下プロセス速度と呼ぶ）で図示矢印方向へ回転する。
【００２８】
帯電手段４９ａ〜４９ｄによって表面を均一に帯電された像担持体１ａ〜１ｄはレーザ露光を受け画像形成を行う。スキャナー部３ａ〜３ｄが画像のレーザ照射を行い、像担持体１ａ〜１ｄ上に潜像を形成する。プリンタ１００は、この潜像形成と同時に現像ローラ６０ａ〜６０ｄを駆動し像担持体１ａ〜１ｄ上の潜像にトナーが付着するように像担持体１ａ〜１ｄの帯電極性と同極性で略同電位の電圧を印加して現像を行う。同時に現像部の下流の転写位置で像担持体１ａ〜１ｄ上のトナー像を中間搬送ベルト１１上の転写材Sに転写する。この時転写部には上記トナー像と逆特性の電圧を印加して転写を行う。
【００２９】
以上の工程をそれぞれ４色のトナー像に対して別々に、かつ、転写材S上のトナー画像の先端が一致するようなタイミングで行う。以上４色のトナー像を転写材S上に多重転写することでフルカラーの画像を形成することになる。
【００３０】
前述の図３のレジストセンサ９９において、転写材先端が検知されたタイミングで、コントローラから印字コマンドを受信していない場合に、プリンタ１００は転写材一時停止位置９６で転写材Sを一時停止する。そして、転写材Sは作像が開始された後に、１色目のトナー像が転写部に到達するタイミングに合わせて、転写材一時停止位置９６から搬送が再スタートされる。フルカラー画像を転写された転写材Sは図１の中間搬送ベルト１１から剥離され定着部２０へ搬送されトナー定着を行った後に排出ローラ対２３を介して本体上部の排出トレイ２４上へ画像面を下向きにして排出され、画像形成動作を終了する。
【００３１】
次に図２〜図７を用いて本実施形態を詳述する。
【００３２】
上述したように、図２のプリンタエンジン２０３は、コントローラ２０２から印字コマンドを受信していない場合に、転写材Sを図３の転写材一時停止位置９６で一時停止し、印字コマンド受信を待つ。コントローラ２０２は、前述のようにホストコンピュータ２０４から画像情報を受信して、画像展開を実行する処理が終了した後にプリンタエンジン２０３に印字コマンドを送信するものである。しかし、ホストコンピュータ２０４との通信状況や、印字される画像のデータ量によって、印字コマンドをプリンタエンジン２０３に送信するタイミングが大きく左右される。
【００３３】
エンジンは、図３の転写材一時停止位置９６で転写材を一次停止している間、レジストローラを駆動するステッピングモータ９５及び、ステッピングモータドライバ９３の温度が励磁してモータを停止することが可能である限界温度Tl以下である場合を考える。この場合、エンジンは、ステッピングモータ９５の励磁電流を保持し、印字コマンドを受信した場合に最適なパフォーマンスが出せるように制御する。なお、励磁してモータを停止することが可能である限界温度Tlはモータ及びモータドライバ及び、それらを含む全体構成によってそれぞれ異なるため、ここでは特に具体的な数値は示さない。
【００３４】
なお、本実施形態では、以下に、ステッピングモータ９５及び、ステッピングモータドライバ９３の昇温が同じレベルである場合について考察し、以降では、ステッピングモータの昇温として説明する。しかしながら、ステッピングモータとステッピングモータドライバがそれぞれ異なる昇温のプロファイルを持つ場合には、本実施形態で説明する内容をそれぞれについて適用することで、同様の制御が可能となる。
【００３５】
以下に、ステッピングモータ９５の温度について推測する方法を、図５〜図７を用いて説明する。図５（ａ）、（ｂ）に示すように、ステッピングモータ９５の温度推測値をTsとし、雰囲気温度をプリンタエンジンの使用限界であるTm、ステッピングモータ９５を連続回転駆動した場合のモータの昇温上限値をTuとする。また、Tsがモータの昇温上限値Tu以下である場合の温度上昇率をX１、連続回転累積時間をS１、Tsがモータの昇温上限値Tuより高い場合の温度上昇率をX２、連続回転累積時間をS２とする。図６に示すようにステッピングモータ９５を完全停止した場合のモータの温度上昇率をX３、連続停止時間をS３とする。図７に示すようにステッピングモータ９５を励磁したまま停止した場合のモータの温度上昇率をX４、連続励磁停止時間をS４とする。X１〜X４にそれぞれの累積時間S１〜S４を乗じることで温度変化を計算するものとする。Tsの初期値は、プリンタエンジンの使用限界雰囲気温度であるTmとすると、Tsは次の式で推測される。  
Ts = X１＊S１ + X２＊S２ + X３＊S３ + X４＊S４
【００３６】
なお、本実施形態の説明上Tsoを前回計算した結果のTsとした場合、それぞれの累積時間S１〜S４は次の条件でクリアされ、その結果を元に最新のTsが求められる。 
（１）TsoがTmと等しい場合には、S１〜S４のすべての累積時間が０クリア
（２）TsoがTm より高く、Tu未満の場合には、S２の累積時間が０クリア
（３）TsoがTuと等しい場合には、S１、S２の累積時間が０クリア
（４）TsoがTu より高く、Tl未満の場合には、S１の累積時間が０クリア
【００３７】
プリンタエンジンは、上記のパラメータTs、Tm、Tu、Tl、S１〜S４、X１〜X４を演算回路の内部で管理し、上記のようにTsを求め、Ts<=Tlをみたしている間は、ステッピングモータを一次停止する際にも励磁電流を保持する。これにより、ステッピングモータの昇温による不具合を抑え、かつ最適なパフォーマンスを保持して駆動制御することが可能となる。
【００３８】
（実施形態２）  
以下、図８を用いて実施形態２を説明する。
【００３９】
図８に示すように、本実施形態のプリンタは、エンジンの雰囲気温度もしくはエンジン内部の温度を検知可能な任意の位置に、温度センサ４００を持つ。その他の構成は、前述の実施形態１と同様であるため、解説を省く。
【００４０】
次に図９〜図１１を用いて本実施形態を詳述する。
【００４１】
図９に示すように、ステッピングモータ９５の温度推測値をTsとし、温度センサ４００で検知した雰囲気温度をTe、ステッピングモータ９５を連続回転駆動した場合のモータの昇温上限値をTuとする。Tsがモータの昇温上限値Tu以下である場合の温度上昇率をX１、連続回転累積時間をS１、Tsがモータの昇温上限値Tuより高い場合の温度上昇率をX２、連続回転累積時間をS２とする。図１０に示すようにステッピングモータ９５を完全停止した場合のモータの温度上昇率をX３、連続停止時間をS１、図１１に示すようにステッピングモータ９５を励磁したまま停止した場合のモータの温度上昇率をX４、連続励磁停止時間をS４とする。X１〜X４にそれぞれの累積時間S１〜S４を乗じることで温度変化を計算するものとする。Tsの初期値は雰囲気温度をプリンタエンジンの使用限界であるTeとすると、Tsは次の式で推測される。  
Ts = X１＊S１ + X２＊S２ + X３＊S３ + X４＊S４
【００４２】
なお、本実施形態の説明上Tsoを前回計算した結果のTsとした場合、それぞれの累積時間S１〜S４は次の条件でクリアされ、その結果を元に最新のTsが求められる。
（１）TsoがTeと等しい場合には、S１〜S４のすべての累積時間が０クリア
（２）TsoがTe より高く、Tu未満の場合には、S２の累積時間が０クリア
（３）TsoがTuと等しい場合には、S１、S２の累積時間が０クリア
（４）TsoがTu より高く、Tl未満の場合には、S１の累積時間が０クリア
【００４３】
プリンタエンジンは、上記のパラメータTs、Tm、Tu、Tl、S１〜S４、X１〜X４を演算回路の内部で管理し、上記のようにTsを求め、Ts<=Tlをみたしている間は、ステッピングモータを一次停止する際にも励磁電流を保持する。これにより、プリンタの使用されている環境を考慮して、ステッピングモータの昇温による不具合を抑え、かつ最適なパフォーマンスを保持して駆動制御することが可能となるものである。
【００４４】
（実施形態３）  
以下、図１２を用いて実施形態３を説明する。プリンタの構成は、前述の実施形態２と同様であるため、解説を省く。
【００４５】
本実施形態のプリンタは、印字毎に図１２で表すDelay時間について、転写材サイズ、紙種毎に過去の印字履歴として平均化もしくは、特定の重み付け演算を実施する。その結果を、図示しない不揮発メモリに図１３の形式で更新保持し、次回、該当モードにて印字の指示がなされた場合には、次の２つの数値を比較し、待ち条件式を満たす場合のみ励磁して待機する。  
（１）図１３の該当delay数値履歴(仮にSrとする)
（２）現在のモータの予想温度Tsから、励磁電流保持した場合に限界温度Tlに達するまでの時間S５を次の式で予測したもの
式:S５ = ( Tl - Ts ) / X４
待ち条件式: S５ >= Sr
【００４６】
これにより、不要な昇温を低減し、次ジョブ以降にも最適なパフォーマンスを確保することが可能となる。このため、プリンタの使用状況、プリンタの使用されている環境を考慮して、ステッピングモータの昇温による不具合を抑え、かつ最適なパフォーマンスを保持して駆動制御することが可能となる。
【００４７】
（他の実施形態）  
１）実施形態１では、カラー画像形成装置のカラー作像でかつ、レジストローラ部におけるステッピングモータ制御を例に述べたものの、特にこの形態に限定するものではない。また、実施形態１で示したステッピングモータ及び、ステッピングモータドライバの昇温レベルの計算式は一例であり、他の形態の計算式を実施形態１から除外するものではない。
２）実施形態２では、カラー画像形成装置のカラー作像でかつ、レジストローラ部におけるステッピングモータ制御を例に述べたものの、特にこの形態に限定するものではない。また、実施形態２で示したステッピングモータ及び、ステッピングモータドライバの昇温レベルの計算式は一例であり、他の形態の計算式を実施形態２から除外するものではない。
３）実施形態３では、カラー画像形成装置のカラー作像でかつ、レジストローラ部におけるステッピングモータ制御を例に述べたものの、特にこの形態に限定するものではない。また、実施形態３で示した、Delay時間及び該当delay数値履歴情報の内容は、実施形態３における一例であり、他の形態を実施形態３の範囲から排除するものではない。
４）尚、上述した実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【図面の簡単な説明】
【００４８】
【図１】本発明を適用できる実施形態１のプリンタを示す断面図である。
【図２】本発明を適用できる実施形態１のプリンタを示す構成図である。
【図３】本発明を適用できる実施形態１のレジストローラ部構成を示す図である。
【図４】本発明を適用できる実施形態１のレジストローラ部に転写材が搬送されたタイミングを示す図である。
【図５】本発明を適用できる実施形態１の温度上昇率X１、X２、累積時間S１、S２を示す図である。
【図６】本発明を適用できる実施形態１の温度上昇率X３、累積時間S３を示す図である。
【図７】本発明を適用できる実施形態１の温度上昇率X４、累積時間S４を示す図である。
【図８】本発明を適用できる実施形態２のプリンタエンジン構成を示す図である。
【図９】本発明を適用できる実施形態２の温度上昇率X１、X２、累積時間S１、S２を示す図である。
【図１０】本発明を適用できる実施形態２の温度上昇率X３、累積時間S３を示す図である。
【図１１】本発明を適用できる実施形態２の温度上昇率X４、累積時間S４を示す図である。
【図１２】本発明を適用できる実施形態３のdelay時間を示す図である。
【図１３】本発明を適用できる実施形態３のdelay数値履歴情報を示す図である。
【図１４】本発明を適用できる実施形態３の温度上昇率X４、累積時間S５を示す図である。
【図１５】従来のモータ起動時初期化、励磁電流保持制御を示す図である。
【符号の説明】
【００４９】
１００  プリンタ
２０２  プリンタコントローラ
２０３  プリンタエンジン
２０４  ホストコンピュータ
２０５  レーザ駆動回路
２０６  エンジン制御部
９３  ステッピングモータドライバ
９４  ギア列
９５  ステッピングモータ
９６  転写材一時停止位置
９７  レジストローラ
９８  レジストセンサフラグ
９９  レジストセンサ（フォトインタラプタ）
【図１】
2007209074.tif 000003
【図２】
2007209074.tif 000004
【図３】
2007209074.tif 000005
【図４】
2007209074.tif 000006
【図５】
2007209074.tif 000007
【図６】
2007209074.tif 000008
【図７】
2007209074.tif 000009
【図８】
2007209074.tif 000010
【図９】
2007209074.tif 000011
【図１０】
2007209074.tif 000012
【図１１】
2007209074.tif 000013
【図１２】
2007209074.tif 000014
【図１３】
2007209074.tif 000015
【図１４】
2007209074.tif 000016
【図１５】
2007209074.tif 000017